(57)【要約】  投射映像の端部のブレンディング処理をユーザにとってより好適に行い得る映像投射技術を提供することを目的とする。  上記目的を達成するために、投射型映像表示装置であって、投射光学系と、画像処理部と、制御部を備え、制御部は、画像処理部を制御して投射映像の輝度を部分的に変更するブレンディング処理を行ない、投射型映像表示装置のモードを画像処理部によるブレンディング処理についてユーザが調整を行うブレンディング調整モードとする制御が可能であり、ブレンディング調整モードにおいては、ブレンディング調整メニューのメニュー画像を生成して投射映像に表示する制御が可能であり、ブレンディング調整モードにおいて、ブレンディング処理の調整の対象となる領域であるブレンディング調整領域の位置に応じてブレンディング調整メニューの表示位置を自動的に変更するように構成する。
2020144744.tif 000002
【特許請求の範囲】
【請求項１】
投射型映像表示装置であって、
表示素子が表示する映像に基づく投射映像を投射する投射光学系と、
画像処理部と、
制御部を備え、
前記制御部は、投射映像を他の投射型映像表示装置の投射映像と合成するために、前記画像処理部を制御して投射映像の輝度を部分的に変更するブレンディング処理を行うことが可能であり、
前記制御部は、前記投射型映像表示装置のモードを前記画像処理部によるブレンディング処理についてユーザが調整を行うブレンディング調整モードとする制御が可能であり、
前記ブレンディング調整モードにおいては、
前記制御部は、ブレンディング調整メニューのメニュー画像を生成して前記投射映像に表示する制御が可能であり、
前記制御部は、前記ブレンディング調整モードにおいて、ブレンディング処理の調整の対象となる領域であるブレンディング調整領域の位置に応じて前記ブレンディング調整メニューの表示位置を自動的に変更することを特徴とする投射型映像表示装置。
【請求項２】
請求項１に記載の投射型映像表示装置であって、
外部から入力映像を入力する映像入力インターフェースと、  
メモリを備え、
前記画像処理部は、前記映像入力インターフェースに入力される映像に対して画像処理を行い前記表示素子に入力される映像を変更することで投射映像の輝度を部分的に変更することが可能であり、
前記制御部は、前記メモリに記憶するデータを用いて前記ブレンディング調整メニューのメニュー画像またはその他のメニュー画像を生成して前記映像入力インターフェースに入力される映像に生成したメニュー画像を重畳することが可能であることを特徴とする投射型映像表示装置。
【請求項３】
請求項２に記載の投射型映像表示装置であって、
光源を備え、
前記表示素子は、前記光源からの光を透過または反射するものであり、前記入力映像または前記画像処理部が画像処理を行った映像にもとづいて前記光源からの光を変調することを特徴とする投射型映像表示装置。
【請求項４】
請求項１から請求項３のいずれか一項に記載の投射型映像表示装置であって、
前記ブレンディング調整領域は、前記投射光学系が投射する投射映像の矩形の４辺のそれぞれに沿うように設定可能であり、
前記ブレンディング調整モードにおいては、前記投射映像の中心よりも前記ブレンディング調整領域に対応する辺に対して離れる方向に前記ブレンディング調整メニューの表示位置を自動的に変更することを特徴とする投射型映像表示装置。
【請求項５】
請求項４に記載の投射型映像表示装置であって、
前記ブレンディング調整モードにおいて、
前記ブレンディング調整領域の幅をユーザが設定可能とし、
前記ブレンディング調整メニューの表示位置の自動位置変更を行う場合には、前記ブレンディング調整領域の幅が最大になるようにユーザが変更した場合でも、一回の自動位置変更のみで前記ブレンディング調整メニューが前記ブレンディング調整領域と重畳しない位置に前記ブレンディング調整メニューの表示位置を自動的に変更することを特徴とする投射型映像表示装置。
【請求項６】
請求項１から請求項５のいずれか一項に記載の投射型映像表示装置であって、
前記ブレンディング調整モードにおいて、前記ブレンディング調整領域の位置または位置および数をユーザの選択により変更可能であって、
前記ブレンディング調整領域の位置または位置および数をユーザが変更するたびに、前記ブレンディング調整メニューの表示位置を自動的に変更することを特徴とする投射型映像表示装置。
【請求項７】
請求項１から請求項６のいずれか一項に記載の投射型映像表示装置であって、
前記制御部は、前記ブレンディング調整モードで表示する前記ブレンディング調整メニューとは別に前記ブレンディング調整モード以外で表示する第２のメニューを生成して前記投射映像に表示する制御が可能であり、
前記第２のメニューを介して、前記第２のメニュー自体の表示位置をユーザが所望の位置に設定することが可能であり、  
前記制御部は、前記ブレンディング調整モード以外の状態から前記ブレンディング調整モードに遷移するときに、前記ユーザが設定した前記所望の位置に関わらず前記ブレンディング調整領域の位置に応じて前記ブレンディング調整メニューの表示位置を自動的に変更することを特徴とする投射型映像表示装置。
【請求項８】
請求項７に記載の投射型映像表示装置であって、
前記ブレンディング調整モードを終了して、前記ブレンディング調整モード以外の状態に遷移した場合、前記第２のメニューを表示するときには、前記ブレンディング調整モードにおける前記ブレンディング調整メニューの表示位置に関わらず、前記ユーザが設定した前記所望の位置に前記第２のメニューを表示することを特徴とする投射型映像表示装置。
【請求項９】
請求項１から請求項８のいずれか一項に記載の投射型映像表示装置であって、
前記制御部は、前記ブレンディング調整モードにおいて、前記ブレンディング調整メニューの表示位置が自動的に変更された場合でも前記ブレンディング調整メニューを介して、またはリモコンによるユーザ操作を介して、前記ブレンディング調整モード中に前記ブレンディング調整メニューの表示位置を手動で変更可能とすることを特徴とする投射型映像表示装置。
【請求項１０】
請求項９に記載の投射型映像表示装置であって、
前記制御部は、前記ブレンディング調整モード中の前記ブレンディング調整メニューの表示位置の手動変更においては、前記ブレンディング調整メニューが前記ブレンディング調整領域と重畳する位置まで前記ブレンディング調整メニューの表示位置を変更可能とすることを特徴とする投射型映像表示装置。
【請求項１１】
請求項１から請求項１０のいずれか一項に記載の投射型映像表示装置であって、
前記制御部は、前記ブレンディング調整モードにおいて、自動またはユーザ操作による手動で前記ブレンディング調整メニューのサイズを縮小して表示することを特徴とする投射型映像表示装置。
【請求項１２】
請求項４または請求項５のいずれか一項に記載の投射型映像表示装置であって、
前記制御部は、前記ブレンディング調整モードにおいて、前記投射映像の矩形の４辺のうち少なくとも対向する２辺に対応する前記ブレンディング調整領域がブレンディング調整の対象に含まれている場合に、前記投射映像の矩形の４辺のうち１辺に対応するブレンディング調整領域のみがブレンディング調整の対象となっている場合に比べて、前記ブレンディング調整メニューのサイズを縮小して表示することを特徴とする投射型映像表示装置。
【請求項１３】
請求項１から請求項１２のいずれか一項に記載の投射型映像表示装置であって、
前記ブレンディング処理の調整は、前記ブレンディング調整領域における輝度信号変更カーブの調整および／または前記ブレンディング調整領域の幅の調整であることを特徴とする投射型映像表示装置。
【請求項１４】
請求項１から請求項３のいずれか一項に記載の投射型映像表示装置であって、
前記ブレンディング調整メニューによりブレンディング調整領域の範囲が設定可能であり、
前記ブレンディング調整モードにおいては、前記投射映像の中心よりも前記ブレンディング調整領域の設定可能な範囲から離れる方向に、前記ブレンディング調整メニューの表示位置を自動的に変更することを特徴とする投射型映像表示装置。
【請求項１５】
請求項１４に記載の投射型映像表示装置であって、
前記ブレンディング調整領域の設定可能な範囲は、前記投射光学系が投射する投射映像の矩形の４辺の何れかに沿うようにブレンディング調整領域の位置と、投射映像の矩形の各辺から中心に向かうようにブレンディング調整領域の幅であることを特徴とする投射型映像表示装置。
【発明の詳細な説明】
【技術分野】
【０００１】
本発明は、映像投射技術に関する。
【背景技術】
【０００２】
複数台の投射型映像表示装置を用いてそれぞれ映像を投射し、これらの映像を合成して大きな全体映像を表示する映像投射方法がある。これを、例えば、マルチ画面投射などと呼ぶことがある。このようなマルチ画面投射を行うときに、複数の投射型映像表示装置の投射映像の一部の領域を重ね合わせて、重なった領域の投射輝度等を調整するブレンディング調整が知られている。【０００３】
本技術分野における背景技術として、特許文献１がある。特許文献１では、マルチ投影のためのエッジブレンド処理を行う投影装置において、ユーザによって変更されたメニュー画像の表示位置と重畳領域とが重なっているか否かを判別してスクリーン上の投影画像に警告画像を表示する、または、メニュー画像の表示位置を重畳領域と重ならない位置に移動させる技術が開示されている。
【先行技術文献】
【特許文献】
【０００４】
【特許文献１】特開２０１５−１７９９４０号公報
【発明の概要】
【発明が解決しようとする課題】
【０００５】
特許文献１には、ユーザによって変更されたメニュー画像の表示位置と重畳領域が重なっているか否かの判別に基づく処理のみしか開示しておらず、ユーザによるメニュー画像の表示位置の変更を行わない場合の処理については一切開示がない。【０００６】
また、特許文献１には、投射映像の端部のブレンディング処理を調整する技術や、当該ブレンディング処理を調整するためのメニュー画像の表示等については一切開示されていない。【０００７】
よって、特許文献１に開示される技術的思想では、投射映像の端部のブレンディング処理を、ユーザにとってより好適に行うことについて十分とはいえないという課題があった。【０００８】
そこで、本発明は、投射映像の端部のブレンディング処理をユーザにとってより好適に行い得る映像投射技術を提供することを目的とする。
【課題を解決するための手段】
【０００９】
本発明は、上記背景技術及び課題に鑑み、その一例を挙げるならば、投射型映像表示装置であって、表示素子が表示する映像に基づく投射映像を投射する投射光学系と、画像処理部と、制御部を備え、制御部は、投射映像を他の投射型映像表示装置の投射映像と合成するために、画像処理部を制御して投射映像の輝度を部分的に変更するブレンディング処理を行うことが可能であり、制御部は、投射型映像表示装置のモードを画像処理部によるブレンディング処理についてユーザが調整を行うブレンディング調整モードとする制御が可能であり、ブレンディング調整モードにおいては、制御部は、ブレンディング調整メニューのメニュー画像を生成して投射映像に表示する制御が可能であり、制御部は、ブレンディング調整モードにおいて、ブレンディング処理の調整の対象となる領域であるブレンディング調整領域の位置に応じてブレンディング調整メニューの表示位置を自動的に変更するように構成する。
【発明の効果】
【００１０】
本発明によれば、投射映像の端部のブレンディング処理をユーザにとってより好適に行なうことが可能な映像投射技術を提供することができる。
【図面の簡単な説明】
【００１１】
【図１】実施例１における投射型映像表示装置のブロック構成図である。
【図２】実施例１の前提となる２台の投射型映像表示装置でのマルチ画面投射を説明する図である。
【図３】実施例１の前提となる４台の投射型映像表示装置でのマルチ画面投射を説明する図である。
【図４】実施例１の前提となる４台の投射型映像表示装置でのマルチ画面投射を説明する図である。
【図５】実施例１の前提となるブレンディング調整メニューの表示例である。
【図６】実施例１の前提となるブレンディング調整メニューのカーブ調整の指標値の一例である。
【図７Ａ】実施例１の前提となる２つの投射型映像表示装置を用いて２つの部分映像をブレンディング調整領域で重ねながら全体映像を生成する過程の一状態を示した例である。
【図７Ｂ】図７Ａにおいてブレンディング調整を行った例である。
【図７Ｃ】図７Ａにおいて、さらに、投射型映像表示装置の投射映像の光学的な要因による不均一性まで考慮した例である。
【図７Ｄ】図７Ｃにおいてブレンディング調整を行った例である。
【図７Ｅ】図７Ｃにおいて、さらに、ブレンディング調整領域の幅を大きくして使用する場合の例である。
【図７Ｆ】図７Ｅにおいてブレンディング調整を行なう場合を示した例である。
【図８Ａ】投射画面上のメニュー位置の例を示す図である。
【図８Ｂ】投射画面上のブレンディング調整メニューの初期位置を示す図である。
【図８Ｃ】実施例１におけるブレンディング調整を開始する状態でのブレンディング調整メニューの位置を示す図である。
【図９Ａ】実施例１におけるブレンディング調整メニューの自動設定位置の他の例である。
【図９Ｂ】図９Ａにおけるブレンディング調整領域の幅が変えられるときの例である。
【図１０Ａ】実施例１におけるブレンディング調整メニューの自動設定位置の他の例である。
【図１０Ｂ】図１０Ａにおけるブレンディング調整領域の幅が変えられるときの例である。
【図１１Ａ】実施例１におけるブレンディング調整メニューの自動設定位置の他の例である。
【図１１Ｂ】図１１Ａにおけるブレンディング調整領域の幅が変えられるときの例である。
【図１２Ａ】実施例１におけるブレンディング調整メニューの自動設定位置の他の例である。
【図１２Ｂ】図１２Ａにおけるブレンディング調整領域の幅が変えられるときの例である。
【図１３Ａ】実施例１におけるブレンディング調整メニューの自動設定位置の他の例である。
【図１３Ｂ】図１３Ａに対して他の一辺にブレンディング調整領域を追加したときの例である。
【図１３Ｃ】図１３Ｂに対して他の一辺にブレンディング調整領域を追加したときの例である。
【図１３Ｄ】図１３Ｃに対して他の一辺にブレンディング調整領域を追加したときの例である。
【図１４】実施例２における通常メニューの一例を示した図である。
【図１５Ａ】実施例２における通常メニューの表示位置のユーザ手動位置設定の概念を示す図である。
【図１５Ｂ】実施例２における通常メニューのユーザ手動位置設定で通常メニューの表示位置を初期位置から変更した例を示す図である。
【図１５Ｃ】実施例２における通常メニューからブレンディング調整に移行したときの表示を示す図である。
【図１５Ｄ】実施例２におけるブレンディング調整が終了した場合の表示を示す図である。
【図１６Ａ】実施例３におけるブレンディング調整メニューの自動設定位置および手動設定位置を示す図である。
【図１６Ｂ】実施例３におけるブレンディング調整領域が２つの辺にある場合のブレンディング調整メニューの自動設定位置および手動設定位置を示す図である。
【図１６Ｃ】実施例３におけるブレンディング調整領域が３つの辺にある場合のブレンディング調整メニューの自動設定位置および手動設定位置を示す図である。
【図１６Ｄ】実施例３におけるブレンディング調整領域が４つの辺にある場合のブレンディング調整メニューの自動設定位置および手動設定位置を示す図である。
【図１７Ａ】実施例４におけるブレンディング調整メニューの自動表示設定を説明する図である。
【図１７Ｂ】実施例４におけるブレンディング調整領域の幅を可変した場合でのブレンディング調整メニューの自動表示設定を説明する図である。
【図１８】実施例４におけるブレンディング調整メニューの縮小メニューの一例である。
【発明を実施するための形態】
【００１２】
以下、本発明に係る実施例について、図面を参照して説明する。
【実施例１】
【００１３】
図１は、本実施例における投射型映像表示装置のブロック構成図である。図１において、投射型映像表示装置１００は、投射光学系１０１、表示素子１０２、表示素子駆動部１０３、照明光学系１０４、光源１０５、電源１０６、操作入力部１０７、不揮発性メモリ１０８、メモリ１０９、および制御部１１０を備える。さらに、冷却部１１５、映像信号入力部／出力部１３１、通信部１３２、音声信号入力部／出力部１３３、スピーカー１４０、画像処理部１６０、およびストレージ部１７０を備える。照明光学系１０４は、可変絞り１２０を備える。【００１４】
光源１０５は、映像投射用の光を発生するもので、高圧水銀ランプ、キセノンランプ、ＬＥＤ光源、レーザ光源またはこれらの組み合わせなどを用いる。電源１０６は、外部から入力されるＡＣ電流をＤＣ電流に変換して、光源１０５に電力を供給する。さらに電源１０６は、その他各部にそれぞれ必要なＤＣ電流を供給する。照明光学系１０４は、光源１０５で発生した光を集光し、より均一化して表示素子１０２に照射する。冷却部１１５は、光源１０５、電源１０６または表示素子１０２など、高温状態になる各部位を空冷方式や液冷方式で必要に応じて冷却する。【００１５】
表示素子１０２は、照明光学系１０４からの光を透過または反射し、その際に光を変調して映像を生成する素子で、例えば、透過型液晶パネル、反射型液晶パネル、ＤＭＤ（Digital Micro mirror Device：登録商標）パネルなどを用いる。表示素子駆動部１０３は、表示素子１０２に対して映像信号に応じた駆動信号を送る。【００１６】
投射光学系１０１は、映像を表示面２００へ投射する拡大投射光学系で、レンズおよび／またはミラーを含む。【００１７】
ここで、表示素子駆動部１０３が参照する映像信号は、映像信号入力部／出力部１３１を介して外部から入力される入力映像信号でもよく、当該入力映像信号に対して画像処理部１６０が画像処理を行った映像信号でもよく、これらの映像信号に不揮発性メモリ１０８やストレージ部１７０に格納された画像を用いて制御部１１０が生成するＯＳＤ画像信号を重畳した信号を参照してもよい。表示素子駆動部１０３がこれらの入力映像信号を参照して生成した駆動信号に応じて、表示素子１０２が光を変調して生成される光学像が投射光学系１０１により表示映像として表示面２００へ投射される。【００１８】
操作入力部１０７は、操作ボタンやリモコンの受光部であり、ユーザからの操作信号を入力する。【００１９】
スピーカー１４０は、音声信号入力部／出力部１３３に入力された音声データに基づいた音声出力を行うことが可能である。また、スピーカー１４０は、内蔵の操作音やエラー警告音を出力してもよい。【００２０】
次にインターフェース１９０について説明する。インターフェース１９０は、投射型映像表示装置１００と外部機器４００（例えば映像音声出力／入力装置、情報処理装置、または他の投射型映像表示装置）を接続し、両者間で各種データを送受信するインターフェースである。【００２１】
映像信号入力部／出力部１３１は、インターフェース１９０の一部を構成する機能部であり、インターフェース１９０で接続された外部機器４００から、投射型映像表示装置１００に映像データを入力する。同一のインターフェースにおいて、映像データを出力する機能を有してもよい。すなわち、この映像信号入力部／出力部１３１は、別体または一体の機能部として、映像を入力する映像入力部として機能し、また、映像を出力する映像出力部として機能する。【００２２】
音声信号入力部／出力部１３３は、同じくインターフェース１９０で接続される外部機器（例えば音声出力／入力装置や情報処理装置）４００から音声データを入力する。同一のインターフェースにおいて、音声データを出力する機能を有してもよい。すなわち、この音声信号入力部／出力部１３３は、別体または一体の機能部として、音声を入力する音声入力部として機能し、また、音声を出力する音声出力部として機能する。【００２３】
通信部１３２は、同じくインターフェース１９０で接続される外部機器４００と各種の制御信号を入出力する。【００２４】
なお、映像信号入力部／出力部１３１と音声信号入力部／出力部１３３と通信部１３２Ａは同一のインターフェース１９０として構成されているが、それぞれ別インターフェースとして構成してもよい。【００２５】
不揮発性メモリ１０８は、プロジェクタ機能で用いる各種データを格納する。メモリ１０９は、投射する映像データや装置の制御用データを記憶する。ＧＵＩ画像の生成に用いられる画像データを記憶しておいてもよい。制御部１１０は、接続される各部の動作を制御する。【００２６】
画像処理部１６０は、映像信号入力部／出力部１３１で入力した映像データに対して画像処理を行うものである。当該画像処理としては、例えば、画像の拡大、縮小、変形などを行うスケーリング処理、輝度を変更するブライト調整処理、画像のコントラストカーブを変更するコントラスト調整処理、画像の階調特性を示すガンマカーブを変更するガンマ調整処理、画像を光の成分に分解して成分ごとの重みづけを変更するレティネックス処理などがある。また、後述する輝度を部分的に変更するブレンディング処理も行う。【００２７】
ストレージ部１７０は、映像、画像、音声、各種データなどを記録するものである。例えば、製品出荷時に予め映像、画像、音声、各種データなどを記録しておいてもよく、通信部１３２を介して外部機器や外部のサーバなどから取得した映像、画像、音声、各種データなどを記録してもよい。ストレージ部１７０に記録された映像、画像、各種データなどは、表示素子１０２と投射光学系１０１を介して投射映像として出力すればよい。ストレージ部１７０に記録された音声は、スピーカー１４０から音声として出力すればよい。【００２８】
可変絞り１２０は、例えば、照明光学系１０４の光路の一部を遮光することが可能な可動遮光板を備える機構であり、制御部１１０の制御により、映像信号入力部／出力部１３１に入力される映像に基づいて算出された調光値（例えば、遮光率や絞りのステップ数）または通信部１３２から受信する制御信号に基づいて算出した調光値（例えば、遮光率や絞りのステップ数）に応じて、遮光板の位置や角度を変化（移動、回転）することにより、遮光量を可変する。遮光板の位置や角度の変化は、遮光板の駆動部に対する入力電圧値の変化や、遮光板の駆動部に入力するパルス数の変化により行えばよい。【００２９】
次に、本実施例の前提となる、ブレンディング調整について説明する。複数台の投射型映像表示装置を用いてそれぞれ映像を投射し、これらの映像を合成して大きな全体映像を表示するマルチ画面投射を行うときに、複数の投射型映像表示装置の投射映像の一部の領域を重ね合わせて、重なった領域の投射輝度等を調整することで、ユーザに部分映像同士の繋ぎ目の違和感の低減を図っている。この、重なった領域の投射輝度等の調整をブレンディング調整と呼ぶ。【００３０】
図２は、本実施例の前提となる２台の投射型映像表示装置でのマルチ画面投射を説明する図である。図２において、（１）に示すように、２台の投射型映像表示装置１００−１、１００−２で全体映像５０を投射する場合は、それぞれの投射型映像表示装置の投射映像である部分映像１（５１）と部分映像２（５２）の繋ぎ目の重なった領域をブレンディング調整領域９０とする。【００３１】
図２において、（２）は、（１）のマルチ画面投射状態における、部分映像１（５１）を投射する投射型映像表示装置１００−１単体での投射映像に注目した表示状態を示している。すなわち、（２）に示すように、投射型映像表示装置１００−１では、投射映像の右辺側にブレンディング調整領域９０が存在する。また、（３）は、（１）のマルチ画面投射状態における、部分映像２（５２）を投射する投射型映像表示装置１００−２単体での投射映像に注目した表示状態を示している。（３）に示すように、投射型映像表示装置１００−２では、投射映像の左辺側にブレンディング調整領域９０が存在する。【００３２】
このように、マルチ画面投射における部分映像を投射する投射型映像表示装置のそれぞれにおいて、投射する部分映像が全体画像中のどこに配置されるかによって、ブレンディング調整領域を設定すべき位置が異なることとなる。【００３３】
図３は、本実施例の前提となる４台の投射型映像表示装置でのマルチ画面投射を説明する図である。図３において、簡便化するために投射型映像表示装置の図示は省略している。図３の（１）に示すように、４つの部分映像を合成して１つの全体映像６０を表示するマルチ画面投射の場合は、ブレンディング調整領域９０は２方向に延伸するように存在することとなる。【００３４】
図３において、（２）は、（１）のマルチ画面投射状態における、部分映像１（６１）を投射する投射型映像表示装置１００−１単体での投射映像に注目した表示状態を示している。すなわち、部分映像１（６１）を投射する投射型映像表示装置１００−１では、投射映像の右辺側と下辺端に沿って２方向にブレンディング調整領域９０が延伸して存在している。【００３５】
また、図３において、（３）は、（１）のマルチ画面投射状態における、部分映像４（６４）を投射する投射型映像表示装置１００−４単体での投射映像に注目した表示状態を示している。（３）に示すように、部分映像４（６４）を投射する投射型映像表示装置１００−４では、投射映像の左辺側と上辺端に沿って２方向にブレンディング調整領域９０が延伸して存在している。【００３６】
このように、マルチ画面投射における部分映像におけるブレンディング調整領域は、１辺のみならず２辺まで、各辺に沿って延伸するように配置可能とする必要がある。【００３７】
図４は、本実施例の前提となる９台の投射型映像表示装置でのマルチ画面投射を説明する図である。図４において、簡便化するために投射型映像表示装置の図示は省略している。図４の（１）に示すように、９個の部分映像を合成して１つの全体映像７０を表示するマルチ画面投射の場合は、ブレンディング調整領域９０は２方向に延伸する複数列が存在することとなる。【００３８】
図４において、（２）は、（１）のマルチ画面投射状態における、部分映像２（７２）を投射する投射型映像表示装置１００−２単体での投射映像に注目した表示状態を示している。（２）に示すように、部分映像２（７２）を投射する投射型映像表示装置１００−２では、投射映像の左辺端、下辺端、右辺端にブレンディング調整領域９０が存在する。すなわち、３つの辺に沿ってブレンディング調整領域９０が存在することになる。【００３９】
また、図４において、（３）は、（１）のマルチ画面投射状態における、部分映像６（７６）を投射する投射型映像表示装置１００−６単体での投射映像に注目した表示状態を示している。すなわち、部分映像６（７６）を投射する投射型映像表示装置１００−６では、投射映像の上辺端、下辺端、左辺端にブレンディング調整領域９０が存在する。すなわち、３つの辺に沿ってブレンディング調整領域９０が存在することになる。【００４０】
また、図４において、（４）は、（１）のマルチ画面投射状態における、部分映像５（７５）を投射する投射型映像表示装置１００−５単体での投射映像に注目した表示状態を示している。すなわち、部分映像５（７５）を投射する投射型映像表示装置１００−５では、投射映像の上辺端、下辺端、右辺端、左辺端にブレンディング調整領域９０が存在する。すなわち、４つすべての辺に沿ってブレンディング調整領域９０が存在することになる。【００４１】
このように、マルチ画面投射における部分映像におけるブレンディング調整領域は、１辺または２辺のみならず、３辺および４辺まで、各辺に沿って延伸するように配置可能とする必要がある。【００４２】
以上説明した、複数のマルチ画面投射の例は、投射型映像表示装置のユーザの使用例の一例である。以上のように、マルチ画面投射における部分映像を投射する投射型映像表示装置のそれぞれにおいて、投射する部分映像が全体画像中のどこに配置されるかによって、ブレンディング調整領域を設定すべき位置が異なることとなる。また、ブレンディング調整領域は、４辺まで、各辺に沿って延伸するように配置可能とする必要がある。【００４３】
投射型映像表示装置は、様々なマルチ画面投射で使用可能なように構成されるのが望ましい。よって、異なる複数のブレンディング調整領域の位置のそれぞれにおいて、言い換えれば、投射映像の矩形の４辺の各ブレンディング調整領域の様々な組み合わせにおいて、ユーザが好適に各ブレンディング調整領域を行いうるように構成することが望ましい。【００４４】
次に、ブレンディング調整のためのブレンディング調整メニューについて説明する。図５は、本実施例の前提となるブレンディング調整メニューの表示例である。【００４５】
図５において、メニューの左列の項目は、ブレンディング調整領域およびその組み合わせを選択する項目である。例えば、図の例では、投射画面の４つの辺のうち、ユーザがブレンディング調整を行う辺ごとにチェックを入れて選択可能とする。これにより、ユーザはブレンディング調整領域およびその組み合わせを選択することが可能となる。【００４６】
次に図５のメニューの中央列の項目は、ブレンディング調整領域の幅を選択する項目である。例えば、図の例では、投射画面の４つの辺に対応するブレンディング調整領域ごとにその幅を選択可能である。その幅の表示は１００pixel，２００pixelなどの画素画素数でも良いし、画面上の幅と対応付けた何らかの指標値でも構わない。投射画面サイズが算出できる場合は、例えば、２０ｃｍ、４０ｃｍなど、実際の画面上の幅の長さを表示してもよい。図の例では、幅０を選択すると、その辺については対応するブレンディング調整領域を設けないことを意味する。これに替えて、辺ごとにブレンディング調整領域を設けるか設けないかを別の選択項目として別途メニュー上に表示してもよい。また、ブレンディング調整領域を設ける辺については、ブレンディング調整領域の幅を共通化しても構わない。【００４７】
次に図５のメニューの右列の項目は、ブレンディング調整領域のカーブの曲率等を選択する項目である。カーブの曲率を選択可能な場合は、具体的な曲率の値は非常に細かくなるため、複数の曲率に対応付けられた指標値を選択する構成することが望ましい。具体例は、図６に示す。【００４８】
なお、後述する縮小メニュー(Small Menu)への手動切り換えボタンを設けてもよい。また、後述する一般メニュー(General Menu)への手動切り換えボタンを設けてもよい。また、後述するブレンディングメニューの手動位置変更モードへの切り換えボタンを設けてもよい。なお、図５の例では、指標値の選択はスライドバーで選択する例を示している。【００４９】
図６に、本実施例の前提となるブレンディング調整メニューのカーブ調整の指標値の一例を示す。また、ブレンディング調整における詳細について、図７Ａ−図７Ｄを用いて説明する。【００５０】
図７Ａは、２つの投射型映像表示装置を用いて２つの部分映像をブレンディング調整領域で重ねながら全体映像５０を生成する過程の一状態を示した例である。図７Ａでは、２つの投射型映像表示装置の投射映像の輝度は理想的な均一性を有する例を示している。また、ブレンディング調整を行う前の状態を示している。図７Ａにおいて、上段は投射映像の全体映像５０を示しており、破線で示した画面位置Ａでの信号のレベル及び輝度を、部分映像１（５１）、部分映像２（５２）、及び、全体映像５０について、その下段に示している。図７Ａでは、ブレンディング調整領域９０では、部分映像１（５１）と部分映像２（５２）の輝度が単純に合成されるので、全体映像の輝度はブレンディング調整領域の部分だけ明るくなり、違和感の強い映像投射状態となる。【００５１】
図７Ｂは、図７Ａにおいてブレンディング調整を行った例を示している。図７Ｂに示すように、ブレンディング調整の対象領域すなわちブレンディング調整領域をブレンディング調整領域に合わせて設定し、その領域における部分映像１（５１）と部分映像２（５２）の信号レベルを図示するようになだらかに変化させることにより、全体映像としてブレンディング調整領域における急激な輝度変化を抑制することができる。これにより、ブレンディング調整領域におけるユーザが感じる違和感を好適に低減できる。ブレンディング調整領域における部分映像１（５１）および部分映像２（５２）の信号レベルの変化の曲率等をブレンディング調整メニューを用いて可変できるように構成することが望ましい。図７Ｂでは、点線を用いて、可変可能な曲率の選択肢の一例を示している。なお、このブレンディング調整であるブレンディング処理は画像処理部１６０により行われる。【００５２】
図７Ｃは、図７Ａにおいて、さらに、投射型映像表示装置の投射映像の光学的な要因による不均一性まで考慮した例を示す。投射型映像表示装置の投射映像は投射光学系（投射レンズや投射ミラー）または光源および照明光学系における各要素や構成により、画面中央と画面端で輝度が均一に保てないことがありえる。当該輝度の不均一性は、投射映像の投射方向を可変可能な投射光学系の場合は、当該投射方向によって影響を受ける。また、厳密にいえば、投射型映像表示装置の個体差や光源の使用時間による変化等によっても影響を受ける。図７Ｃでは、光学的な要因による不均一性を考慮して、ブレンディング調整を行う前の状態を示している。部分映像１（５１）および部分映像２（５２）と光学的な要因による輝度の不均一性により画面端において互いに非対称な輝度変化を生じている。これにより、ブレンディング調整を行う前の状態の全体映像の輝度は非対称なものとなる。また、ブレンディング調整を行っていないので、全体映像の輝度はブレンディング調整領域の部分だけ明るくなり、違和感の強い映像投射状態となる。【００５３】
図７Ｄは、図７Ｃにおいてブレンディング調整を行った例である。本実施例に係る映像表示装置では、ブレンディング調整領域における輝度変化の曲率を可変できる。よって、投射映像の光学的な要因による不均一性に応じて、部分映像１（５１）および部分映像２（５２）に対応するそれぞれの映像表示装置のブレンディング調整における信号のレベルの変化を調整すればよい。これにより、光学的な要因による不均一性によって非対称な輝度変化が生じている場合でも、複数の映像表示装置のそれぞれのブレンディング調整における信号のレベルの変化を個々に調整して、ブレンディング調整領域における全体映像の急激な輝度変化をより好適に抑制することができる。また、光学的な要因による不均一性によって非対称な輝度変化が生じている場合でも、ブレンディング調整領域におけるユーザが感じる違和感をより好適に低減できる。【００５４】
図７Ｅは、図７Ｃにおいて、さらに、ブレンディング調整領域の幅を大きくして使用する場合の例である。部分映像１（５１）の光学的不均一性および部分映像２（５２）の光学的不均一性のそれぞれの特性は図７Ｃと同様であるが、位置が異なるものである。ブレンディング調整を行う前の全体映像の輝度は例えば、図示の通りとなる。【００５５】
図７Ｆは、図７Ｅに対応した、ブレンディング調整を行なう場合を示した例である。図７Ｅでは、ブレンディング調整領域が図７Ｃよりも２つの部分映像の重なる幅（ブレンディング調整領域の幅）が大きくなっている。これに対応して、図７Ｆでは、図７Ｄよりもブレンディング調整領域の幅も大きくしている。ブレンディング調整領域の輝度の急激な変化は、ブレンディング調整領域の端部に生じるので、ユーザが部分映像の重なる幅（ブレンディング調整領域の幅）を所望の幅にしたい場合、ブレンディング調整領域の幅も当該所望の幅に応じて変更できるように構成することが望ましい。【００５６】
これにより、部分映像１（５１）および部分映像２（５２）において、それぞれ好適なブレンディング調整を行うことができ、ブレンディング調整領域における全体映像の急激な輝度変化をより好適に抑制することができ、ブレンディング調整領域におけるユーザが感じる違和感をより好適に低減できる。【００５７】
以上説明したような、図７Ｂ、７Ｄ、７Ｆに示すような曲率の変更を行う際に、例えば、図６に示すように、カーブの曲率と指標値を対応づけておき、ユーザが指標値を選択することにより、所望の曲率のカーブを設定可能とすればよい。なお、上記では、ブレンディング調整として輝度を調整するとして説明したが、色を調整するようにしてもよい。【００５８】
次に、以下の実施例の説明で用いるための種々のメニュー位置の一例を図８Ａに示す。図８Ａでは、１つの投射型映像表示装置で投射表示する投射画面８０に対して、実施例の説明を簡略化するために、代表的な９つの位置のみを例示したものである。実際に構成する場合は、位置調整の分解能を細かくし、これらの９つ位置の間の位置を多段階に調整するように構成することが、よりユーザにとって使い勝手が良いため望ましい。【００５９】
図８Ａにおいて、メニュー位置Ａは投射画面８０に対して左上端付近である。メニュー位置Ｂは、画面左右方向が画面中央で、画面上下方向が画面上辺付近である。メニュー位置Ｃは画面右上端付近である。メニュー位置Ｄは、画面上下方向が画面中央で、画面左右方向が画面左辺付近である。メニュー位置Ｅは、ほぼ画面中央位置である。メニュー位置Ｆは、画面上下方向が画面中央で、画面左右方向が画面右辺付近である。メニュー位置Ｇは画面左下端付近である。メニュー位置Ｈは、画面左右方向が画面中央で、画面上下方向が画面下辺付近である。メニュー位置Ｉは画面右下端付近である。【００６０】
図８Ｂは、ブレンディング調整メニューの初期位置が、例えば画面中央位置Ｅである場合を示し、画像処理部によるブレンディング処理についてユーザが調整を行うブレンディング調整モードであって、ブレンディング調整の対象となる、方向または辺を決定する前の段階を示している。【００６１】
図８Ｃは、本実施例におけるブレンディング調整を開始する状態を示す図である。図８Ｃに示すように、ブレンディング調整を開始する状態になると、ブレンディング調整メニューの初期位置（例えば画面中央位置Ｅ）よりもブレンディング調整領域９０(図では右端のハッチング部）から離れる方向にブレンディング調整メニューの位置を、例えば画面左端位置Ｄに自動設定される。すなわち、当該ブレンディング調整メニューの自動設定位置は、初期位置（例えば画面中央位置Ｅ）よりも当該投射画面の一辺から離れる位置ということもできる。図の例では左右方向において、初期位置よりもブレンディング調整メニューの自動設定位置の方がブレンディング調整領域９０から離れる、すなわち、ブレンディング調整領域のブレンディング調整メニュー範囲から離れる。【００６２】
このように本実施例によれば、ブレンディング調整の間は、ブレンディング調整領域と重複しない位置にブレンディング調整メニューの位置を自動設定することにより、ブレンディング調整領域の視認性をより好適に確保しながらブレンディング調整を行うことができる。また、ブレンディング調整メニューの視認性も向上する。さらに、ユーザが手動でブレンディング調整メニューの位置を変更しなくとも実現できるので、ユーザの操作労力を低減することができる。【００６３】
図９Ａに本実施例におけるブレンディング調整メニューの自動設定位置の他の例を示す。図９Ａに示すように、ブレンディング調整領域９０と重複しない位置であれば、ブレンディング調整メニューの自動設定位置は自動設定位置Ｅ（画面中央位置）でも自動設定位置Ｄ（画面左端位置）でもよい。また、ブレンディング調整領域９０と重複しない位置であれば、ブレンディング調整メニューの自動設定位置は自動設定位置Ｄ、自動設定位置Ｅに限られず上下にずれた位置（位置Ａ、Ｂ、Ｇ、Ｈなど）に自動位置設定してもよい。【００６４】
但し、図９Ｂに示すように、ブレンディング調整領域９０の幅が変えられるときは、ブレンディング調整メニューの自動設定位置はブレンディング調整領域９０の幅が最大の時でも重複しない位置（図９Ｂの例では、自動設定位置ＥはＮＧ。自動設定位置ＤはＯＫ。）に最初から自動設定することが望ましい。【００６５】
例えば、ブレンディング調整領域９０の幅が最小の時にブレンディング調整メニューの自動設定位置を自動設定位置Ｅにして、ブレンディング調整領域９０の幅を大きくする途中でブレンディング調整メニューの自動設定位置を自動設定位置Ｄに変更しても良いが、この場合、ブレンディング調整領域９０の幅を調整するたびにブレンディング調整メニューが複数回移動し、これはユーザにとって煩わしい可能性がある。【００６６】
よって、少なくともブレンディング調整メニューの自動設定位置は、ブレンディング調整領域の幅が最大の時でも重複しない位置(例えば自動設定位置Ｄ)に最初から自動設定しておけば、ブレンディング調整領域の幅を変更してもブレンディング調整メニューの位置の変更が頻繁にならないので、ユーザにとって煩わしくないという利点がある。【００６７】
よって、このブレンディング調整メニューの自動位置設定の一つの例として、メニュー設定可能位置のうち最もブレンディング調整領域から離れた位置に設定するように構成してもよい。この場合、ブレンディング調整領域の視認性が最大限に確保されるので好適である。【００６８】
図１０Ａに本実施例におけるブレンディング調整メニューの自動設定位置の他の例を示す。図１０Ａに示すように、ブレンディング調整領域９０が投射画面の４つの辺のうち互いに対向しない２つ辺から、同一または異なる幅を有する範囲の場合、ブレンディング調整メニューの自動設定位置は、初期位置（例えば画面中央位置Ｅ）よりも当該投射画面の当該２つの辺のそれぞれから離れる方向に設定すればよい（例えば、図中の自動設定位置Ｇ）。図の例では上下方向および左右方向の両者において、初期位置(例えば画面中央位置Ｅ）よりもブレンディング調整メニューの自動設定位置の方がブレンディング調整領域９０から離れる、すなわち、ブレンディング調整領域９０のブレンディング調整メニュー範囲から離れる。このようにすることで、ブレンディング調整の間は、当該２つの辺に対応するブレンディング調整領域と重複しない位置にブレンディング調整メニューの位置を自動設定することができ、ユーザの操作労力を低減しながら当該２つの辺に対応するブレンディング調整領域のそれぞれのディング調整領域の視認性をより好適に確保してブレンディング調整を行うことができる。また、ブレンディング調整メニューの視認性も向上する。【００６９】
よって、このブレンディング調整メニューの自動位置設定の一つの例として、メニュー設定可能位置のうち最もブレンディング調整領域から離れた位置に設定するように構成してもよい。この場合、ブレンディング調整領域の視認性が最大限に確保されるので好適である。【００７０】
なお、図１０Ａでは、投射画面の上記２つの辺は、上辺と、右辺を対象としているが、右辺を左辺に替えてもよいし、上辺を下辺に替えてもよい。以下の説明で２つの辺に対応するブレンディング調整領域９０がある場合においても同様である。【００７１】
また、図１０Ｂに示すように、当該２つの辺に対応するブレンディング調整領域９０のそれぞれの幅がメニューを介して調整可能である場合は、少なくともブレンディング調整メニューの自動設定位置は、当該２つの辺に対応するブレンディング調整領域９０のそれぞれの幅が最大の時でも重複しない位置に最初から自動設定しておけばよい（例えば、図中の画面左下端位置Ｇ）。ブレンディング調整領域９０の幅を変更してもブレンディング調整メニューの位置の変更が頻繁にならないので、ユーザにとって煩わしくないという利点がある。【００７２】
よって、このブレンディング調整メニューの自動位置設定の一つの例として、メニュー設定可能位置のうち、最も当該２つの辺に対応するブレンディング調整領域９０のそれぞれから離れた位置に設定するように構成してもよい（例えば、図中の画面左下端位置Ｇ）。この場合、当該２つの辺に対応するブレンディング調整領域９０のそれぞれの視認性が最大限に確保されるので好適である。【００７３】
図１１Ａに本実施例におけるブレンディング調整メニューの自動設定位置の他の例を示す。図１１Ａに示すように、ブレンディング調整領域９０が投射画面の４つの辺のうち３つ辺から同一または異なる幅を有する範囲の場合、そのうち少なくとも２つの辺（図の例では投射画面の左辺と右辺）はブレンディング調整領域９０が投射画面中心を基準として互いに対向する位置にある辺となる。最後の１辺は、投射画面中心を基準に対向する位置にブレンディング調整領域９０が存在しない状況となる。すなわち、投射画面の４つの辺のうち１つの辺のみがブレンディング調整領域９０が存在しない部分があるということとなる。【００７４】
この場合は、ブレンディング調整メニュー自動設定位置は、初期位置よりも投射画面中心を基準に対向する位置にブレンディング調整領域９０が存在しない上記１辺のブレンディング調整領域９０から離れる位置に設定すればよい（例えば、図中の画面下端位置Ｈ）。図の例では上下方向において、初期位置（例えば画面中央位置Ｅ）よりもブレンディング調整メニュー自動設定位置の方が上辺のブレンディング調整領域９０のブレンディング調整メニュー範囲から離れる。【００７５】
また、ブレンディング調整領域が投射画面中心を基準に対向する位置にある２つの辺に対しては、どちらにも近づけず中間位置にブレンディング調整メニュー自動設定位置を設定すればよい。【００７６】
このようにすることで、投射画面中心を基準に対向する位置にブレンディング調整領域が存在しない１つの辺（図の例では投射画面の上辺）のブレンディング調整領域については、ブレンディング調整の間は、ブレンディング調整領域から離れた位置にブレンディング調整メニューの位置を自動設定することができ、ユーザの操作労力を低減しながら当該ブレンディング調整領域の視認性をより好適に確保してブレンディング調整を行うことができる。また、ブレンディング調整メニューの視認性も向上できる。【００７７】
ここで、図１１Ｂに示すように、当該３つの辺に対応するブレンディング調整領域９０のそれぞれの幅がブレンディング調整メニューを介して調整可能である場合、少なくとも投射画面中心を基準として対向する位置にブレンディング調整領域９０が存在しない１つの辺（図の例では投射画面の上辺）のブレンディング調整領域９０については、ブレンディング調整メニューの自動設定位置は、当該ブレンディング調整領域９０の幅が最大の時でも重複しない位置に最初から自動設定しておけばよい（例えば、図中の画面下端位置Ｈ）。これにより、当該ブレンディング調整領域９０の幅を変更してもブレンディング調整メニューの位置の変更が頻繁にならないので、ユーザにとって煩わしくないという利点がある。【００７８】
よって、このブレンディング調整メニューの自動位置設定の一つの例として、メニュー設定可能位置のうち、最も当該ブレンディング調整領域から離れた位置に設定するように構成してもよい（例えば、図中の画面下端位置Ｈ）。この場合、当該ブレンディング調整領域の視認性が最大限に確保されるので好適である。【００７９】
また、既に、ブレンディング調整領域が投射画面中心を基準に対向する位置にある２つの辺（図の例では投射画面の左辺と右辺）のブレンディング調整領域については、ブレンディング調整の間は、ブレンディング調整メニューの位置を少なくとも両者の中間に配置すると説明した。このとき、２つの辺（図の例では投射画面の左辺と右辺）のブレンディング調整領域の幅を最大限に大きくした場合には、ブレンディング調整メニューといずれかまたは両者のブレンディング調整領域が重畳することを許容しても構わない。そのとき、２つのブレンディング調整領域が投射画面中心を基準として対向する位置にあるので、両者のブレンディング調整領域の幅を最大限とした場合に、ブレンディング調整メニューはどちらにも回避することができないことがあるためである。この場合、両者が対向する方向（図の例では左右方向）において、ブレンディング調整メニューの位置を中間の位置に維持することが望ましい。ブレンディング調整メニューと両者のブレンディング調整領域が重畳した場合でも、両者のブレンディング調整領域の視認性のバランスを保ちながらブレンディング調整を行うことができるためである。【００８０】
図１２Ａに本実施例におけるブレンディング調整メニューの自動設定位置の他の例を示す。図１２Ａに示すように、ブレンディング調整領域９０が投射画面の４つの辺のうち４つすべての辺から同一または異なる幅を有する範囲の場合は、ブレンディング調整メニュー自動設定位置は、初期位置と同じく、ほぼ投射画面中心位置（位置Ｅ）にブレンディング調整メニュー自動設定位置を設定すればよい（自動設定位置による位置変更を行わない、と表現してもよい。）。この場合、投射画面中心位置が、ブレンディング調整メニューと４つすべての辺に対応するブレンディング調整領域９０と重複しない位置になる可能性が最も高くなるからである。このようにすることで全て４つの辺に対応するブレンディング調整領域９０の視認性のバランスを保ちながらブレンディング調整を行うことができる。【００８１】
ここで、図１２Ｂに示すように、当該４つすべての辺に対応するブレンディング調整領域９０のそれぞれの幅がブレンディング調整メニューを介して調整可能である場合、投射画面中心位置（位置Ｅ）をブレンディング調整メニュー自動設定位置とすると説明した。このとき、これらのブレンディング調整領域９０の幅を最大限に大きくした場合には、ブレンディング調整メニューとこれらのブレンディング調整領域９０が重畳することを許容しても構わない。ブレンディング調整メニューとこれらのブレンディング調整領域９０が重畳した場合でも、投射画面中心位置であれば、これらのブレンディング調整領域９０の視認性のバランスを保ちながらブレンディング調整を行うことができる。【００８２】
図１３Ａに本実施例におけるブレンディング調整メニューの自動設定位置のさらに他の例を示す。図１３Ａに示すように、ブレンディング調整メニューを介してブレンディング調整領域９０の位置を変更や追加するごとに初期位置（例えば、画面中央位置Ｅ）に戻らずに、ブレンディング調整メニューの位置の自動設定を繰り返してもよい。【００８３】
図１３Ａでは、図８Ｃと同様に、例えば、投射画面の一辺（例えば、投射画面の右辺）から所定の幅を有するブレンディング調整領域９０から離れる方向にブレンディング調整メニュー位置（例えば画面左端位置Ｄ）が自動設定する。これを第１自動設定位置とする。【００８４】
次に、図１３Ｂに示すように、投射画面の他の一辺（例えば、投射画面の上辺）から所定の幅を有するブレンディング調整領域９０をブレンディング調整の対象に追加した場合、初期位置（例えば、画面中央位置Ｅ）に戻らず、ブレンディング調整メニュー位置を第１自動設定位置から図１０Ａと同様の画面左下位置Ｇに自動的に変更してもよい。これを第２自動設定位置とする。【００８５】
次に、図１３Ｃに示すように、さらに投射画面の他の一辺（例えば、投射画面の左辺）から所定の幅を有するブレンディング調整領域９０をブレンディング調整の対象に追加した場合も、初期位置（例えば、画面中央位置Ｅ）に戻らず、ブレンディング調整メニュー位置を第２自動設定位置から図１１Ａと同様の画面下位置Ｈに自動的に変更してもよい。これを第３自動設定位置とする。【００８６】
次に、図１３Ｄに示すように、さらに投射画面の他の一辺（例えば、投射画面の下辺）から所定の幅を有するブレンディング調整領域９０をブレンディング調整の対象に追加した場合も、ブレンディング調整メニュー位置を第３自動設定位置から図１２Ａと同様の画面中央Ｅに自動的に変更してもよい。これを第４自動設定位置とする。【００８７】
このように、図１３Ａから図１３Ｄのように構成すれば、ブレンディング調整領域９０の位置の変更及びブレンディング調整領域９０に対応する辺の数の変更に対応して、ブレンディング調整メニューの自動設定位置を連続的に可変することが可能となり、ユーザはブレンディング調整の作業をスムースに行うことができるという利点がある。【００８８】
以上のように本実施例によれば、ブレンディング調整領域９０の位置及び形状、またはブレンディング調整領域９０が対応する辺の位置及び数に応じて、ブレンディング調整中のブレンディング調整メニューの位置を自動的に変更する。これにより、ブレンディング調整領域の視認性をより好適に確保しながらブレンディング調整を行うことができる。また、ブレンディング調整メニューの視認性も向上する。さらに、ユーザが手動でブレンディング調整メニューの位置を変更しなくとも実現できるので、ユーザの操作労力を低減することができる。すなわち、本実施例に係る投射型映像表示装置によれば、より好適なブレンディング調整を実現することができる。
【実施例２】
【００８９】
本実施例は、ブレンディング調整メニューと通常メニューとの関係に関する例である。【００９０】
図１４は、本実施例における通常メニューの一例を示した図である。通常メニューは、非ブレンディング専用メニューであって、一般メニュー（Ｇｅｎｅｒａｌ  Ｍｅｎｕ）と表現してもよい。図１４に示すように、通常メニューには、例えば、入力設定、映像設定、音声設定、通信設定（ネットワーク設定）、設置設定、言語設定などがある。各項目を選択することにより、各項目の詳細メニューに遷移して、さらに詳細な設定（詳細設定）を行うことができる。なお、ブレンディング調整メニューへの遷移を含む項目も含まれる。ブレンディング調整メニューへの遷移は、例えば、設置設定を選択して、設置設定の詳細設定に遷移した後メニュー遷移先として選択可能と構成すればよい。【００９１】
図１５Ａは、本実施例における、通常メニューの表示位置のユーザ手動位置設定の概念を示す図である。図１５Ａに示すように、通常メニューの初期位置（図の例では画面中央位置Ｅ）から、ユーザが所望の位置に表示位置を変更する機能を備える。それによりユーザの使い勝手が向上する。【００９２】
図１５Ｂは、通常メニューのユーザ手動位置設定で、通常メニューの表示位置を初期位置から変更した例を示している。図１５Ｂでは、初期位置が画面中央位置Ｅであるのに対し、ユーザが画面右端の位置Ｆにユーザ設定位置を決定した例を示している。【００９３】
図１５Ｃは、通常メニューからブレンディング調整に移行したときの表示を示す。図１５Ｃに示すように、通常メニューのユーザ手動位置設定で設定した位置(図中の例ではユーザ設定位置である画面右端F)から、ブレンディング調整に移行したときは、通常メニューのユーザ手動位置設定がどこであっても、ブレンディング調整領域９０と重複しない位置(図中の例ではである画面左端D)にメニュー位置を変更するブレンディング調整メニューの自動位置設定をおこなう。ブレンディング調整メニューの自動位置設定の位置の条件は実施例１で説明したとおりなので、説明を省略する。ブレンディング調整の間は、ブレンディング調整領域９０と重複しない位置にブレンディング調整メニューの位置を自動設定し、ブレンディング調整領域９０の視認性をより好適に確保しながらブレンディング調整を行うことができる。【００９４】
図１５Ｄは、ブレンディング調整が終了した場合の表示を示す。図１５Ｄに示すように、ブレンディング調整が終了した場合には、通常メニューのユーザ手動位置設定で設定した位置(図中の例ではユーザ設定位置である画面右端F)に自動的に戻る。通常メニューのユーザ手動位置設定は、不揮発性メモリに記憶しておけばよい。【００９５】
これにより、ブレンディング調整の間は、ブレンディング調整領域９０と重複しない位置にブレンディング調整メニューの位置を自動設定し、ユーザの操作労力を低減しながらブレンディング調整領域９０の視認性をより好適に確保してブレンディング調整を行い、ブレンディング調整が終了したら、ユーザが通常使用時に好ましいと考えている所望の位置に通常メニューを戻して使用することができる。この一連の流れをユーザが毎回手動でメニュー位置変更をしなくとも実現することができるので、ユーザの操作労力を低減することができるという利点がある。【００９６】
以上のように本実施例によれば、実施例１の効果に加え、以下の効果がある。すなわち、ユーザが通常使用時に好ましいと考えている所望の位置に通常メニューの位置が設定されている場合でも、ブレンディング調整の間は、当該通常メニューの設定位置と異なる位置であっても、ブレンディング調整領域と重複しない位置にブレンディング調整メニューの位置を自動設定する。これにより、ユーザの操作労力を低減しながらブレンディング調整領域、及び、ブレンディング調整メニューの視認性をより好適に確保してブレンディング調整を行うことができる。さらに、ブレンディング調整の終了後に、上記通常メニューの設定位置（すなわちユーザが通常使用時に好ましいと考えている所望の位置）にメニュー位置を自動的に戻して使用することができる。この一連の流れをユーザが毎回手動でメニュー位置変更をしなくとも実現することができるので、ユーザの操作労力を低減することができるという利点がある。すなわち、本実施例に係る投射型映像表示装置によれば、より好適なブレンディング調整を実現することができる。
【実施例３】
【００９７】
本実施例は、ブレンディング調整メニュー位置の自動設定が行われた後に、ユーザが手動でブレンディング調整メニュー位置を変更可能なように構成した例である。【００９８】
図１６Ａは、本実施例におけるブレンディング調整メニューの自動設定位置および手動設定位置を示す図である。図１６Ａに示すように、ブレンディング調整メニューの位置が自動設定で行われた後に（図の例では、例えば画面左端位置Ｄ）、ユーザが手動でブレンディング調整メニュー位置を変更可能なように構成してもよい（図の例では、例えば画面右端位置Ｃ，Ｆ，Ｉ）。なお、このユーザによる手動操作は、ブレンディング調整メニューを介して、またはリモコンによるユーザ操作を介して、変更可能とする。【００９９】
既に説明したとおり、上述のブレンディング調整メニュー位置の自動設定は、ブレンディング調整領域の視認性をより好適に確保することを目的としている。しかしながら、ユーザが使用する環境によっては、ブレンディング調整メニュー位置の自動設定の位置が、設定時にメニュー自体が視認しづらい位置になってしまう場合などがありえる。この場合は、ブレンディング調整メニュー位置の自動設定後にユーザが手動でブレンディング調整メニュー位置を変更できることが望ましい。【０１００】
またこの際、ユーザによるブレンディング調整メニュー位置の手動変更の際に、ブレンディング調整メニューが調整中のブレンディング調整領域に重畳しない位置（例えば図の例では、位置Ａ，Ｂ，Ｅ，Ｇ，Ｈ）のみならず、ブレンディング調整メニューが調整中のブレンディング調整領域に重畳する位置（例えば図の例では、位置Ｃ，Ｆ，Ｉ）まで手動設定可能とするか否かが問題となる。【０１０１】
ここで、本実施例では、ブレンディング調整メニューが調整中のブレンディング調整領域に重畳する位置（例えば図の例では、位置Ｃ，Ｆ，Ｉ）まで手動設定可能とする。ユーザが使用する環境によっては、ブレンディング調整中のブレンディング調整領域の視認性が一部悪くなっても、ブレンディング調整メニューが調整中のブレンディング調整領域に重畳する位置まで、手動でブレンディング調整メニューを変更しなければならないとユーザが考える場合もあり得るからである。【０１０２】
図１６Ｂは、ブレンディング調整領域が投射画面の２つの辺に対応する場合の、本実施例におけるブレンディング調整メニューの自動設定位置および手動設定位置を示す図である。図１６Ｂに示すように、ブレンディング調整メニュー位置の自動設定後のユーザによるブレンディング調整メニュー位置の手動変更の考え方は、ブレンディング調整領域９０が投射画面の２つの辺に対応する場合でも同じである。すなわち、ブレンディング調整メニュー位置の自動設定(例えば図の例では、画面左下位置Ｇ)後、ユーザによるブレンディング調整メニュー位置の手動変更の際に、ブレンディング調整メニューが調整中のブレンディング調整領域９０に重畳しない位置（例えば図の例では、位置Ｄ，Ｅ，Ｈ）のみならず、ブレンディング調整メニューが調整中のブレンディング調整領域９０に重畳する位置（例えば図の例では、位置Ａ，Ｂ，Ｃ，Ｆ，Ｉ）まで手動設定可能とする。【０１０３】
図１６Ｃは、ブレンディング調整領域が投射画面の４つの辺のうち３つ辺から同一または異なる幅を有する範囲の場合の、本実施例におけるブレンディング調整メニューの自動設定位置および手動設定位置を示す図である。図１６Ｃに示すように、ブレンディング調整メニュー位置の自動設定後のユーザによるブレンディング調整メニュー位置の手動変更の考え方は、ブレンディング調整領域が投射画面の４つの辺のうち３つ辺から同一または異なる幅を有する範囲の場合でも同じである。すなわち、ブレンディング調整メニュー位置の自動設定(例えば図の例では、画面下辺端位置Ｈ)後、ユーザによるブレンディング調整メニュー位置の手動変更の際に、ブレンディング調整メニューが調整中のブレンディング調整領域に重畳しない位置（例えば図の例では、位置Ｅ）のみならず、ブレンディング調整メニューが調整中のブレンディング調整領域に重畳する位置（例えば図の例では、位置Ａ，Ｂ，Ｃ，Ｄ，Ｆ，Ｇ，Ｉ）まで手動設定可能とする。【０１０４】
さらに、図１６Ｄは、ブレンディング調整領域が投射画面の４つの辺のうち４つすべての辺から同一または異なる幅を有する範囲の場合の、本実施例におけるブレンディング調整メニューの自動設定位置および手動設定位置を示す図である。図１６Ｄに示すように、ブレンディング調整メニュー位置の自動設定後のユーザによるブレンディング調整メニュー位置の手動変更の考え方は、ブレンディング調整領域９０が投射画面の４つの辺のうち４つすべての辺から同一または異なる幅を有する範囲の場合でも同じである。すなわち、ブレンディング調整メニュー位置の自動設定(例えば図の例では、画面中央位置Ｅ)後、ユーザによるブレンディング調整メニュー位置の手動変更の際に、ブレンディング調整メニューが調整中のブレンディング調整領域９０に重畳する位置（例えば図の例では、位置Ａ，Ｂ，Ｃ，Ｄ，Ｆ，Ｇ，Ｈ，Ｉ）まで手動設定可能とする。【０１０５】
このようにブレンディング調整メニュー位置の自動設定のみならず自由度の高いブレンディング調整メニュー位置の手動設定を用意することで、ユーザの操作労力を低減しながらブレンディング調整領域の視認性をより好適に確保するブレンディング調整メニュー位置の自動設定の効果を得て、かつユーザが使用する環境における多様な条件に対応したブレンディング調整メニュー位置の手動設定の両者の利点を得ることができる。【０１０６】
以上のように本実施例によれば、実施例１の効果に加え、以下の効果がある。すなわち、ユーザが使用する環境における多様な条件に対応したブレンディング調整メニュー位置の手動設定の利点を得ることができる。すなわち、本実施例に係る投射型映像表示装置によれば、より好適なブレンディング調整を実現することができる。
【実施例４】
【０１０７】
本実施例は、ブレンディング調整メニューの大きさを変えるように構成した例について説明する。【０１０８】
図１７Ａは、本実施例におけるブレンディング調整メニューの自動表示設定を説明する図である。図１７Ａに示すように、投射画面の対向する２つの辺（図の例では投射画面の左辺と右辺）にブレンディング調整領域９０がある場合、ブレンディング調整メニュー位置の自動設定により、左右方向に位置を変更してもいずれか一方の辺のブレンディング調整領域９０の視認性向上には寄与するが、他方のブレンディング調整領域９０の視認性向上には寄与しない可能性がある。そこで、本実施例では、このような場合、ブレンディング調整メニューのサイズを自動的に縮小する。これにより、投射画面の対向する２つの辺（図の例では投射画面の左辺と右辺）のブレンディング調整領域の両者について、ブレンディング調整中の視認性を向上させることができる。【０１０９】
ブレンディング調整メニューのサイズの縮小方法は、単純に文字を含む表示内容をスケーリングして縮小してもよい。または、文字の視認性を確保するため、文字サイズは変えずに、表示項目を減らすなどして、ブレンディング調整メニュー内の表示内容を減らすことにより、ブレンディング調整メニューの表示範囲のサイズを縮小してもよい。【０１１０】
なお、ブレンディング調整メニューの縮小メニューへの自動切換後に、手動で元の大きさのブレンディング調整メニューに戻れるようにメニューを構成してもよい。【０１１１】
また、ブレンディング調整メニューの縮小メニューへの自動切換が行われる前に、手動で縮小メニューに遷移できるようにメニューを構成してもよい。【０１１２】
図１７Ｂは、本実施例におけるブレンディング調整領域９０の幅を可変した場合でのブレンディング調整メニューの自動表示設定を説明する図である。図１７Ｂに示すように、ブレンディング調整メニューのサイズを自動的に縮小すれば、ブレンディング調整領域９０の幅を可変した場合でも、ブレンディング調整中のブレンディング調整領域９０の視認性を維持できる可能性が高まる。【０１１３】
図１８は、本実施例におけるブレンディング調整メニューの縮小メニューの一例である。図１８では、図５のブレンディング調整メニューに比べ、文字の大きさは変えずに、各項目の表示を省略表記に変更することで文字数を減らしてブレンディング調整メニューの範囲を小さくしている。また、一部の項目においてスライドバーを省略して調整用の指標値のみの表示とすることでブレンディング調整メニューの範囲を小さくしている。【０１１４】
なお、ブレンディング調整メニューの縮小メニューから、ブレンディング調整メニューの大きいメニュー（Large Menu）への手動切り換えボタン（図の例では「拡大」と表記）を設けてもよい。また、一般メニュー(General Menu)への手動切り換えボタン(図の例では「一般」と表記)を設けてもよい。また、ブレンディングメニューの手動位置変更モードへの切り換えボタン（図の例では「M位置手動」と表記）を設けてもよい。【０１１５】
以上のように本実施例によれば、実施例１の効果に加え、以下の効果がある。すなわち、ブレンディング調整メニューのサイズを自動的に縮小すれば、ブレンディング調整中のブレンディング調整領域の視認性を向上または維持に寄与することが可能である。すなわち、本実施例に係る投射型映像表示装置によれば、より好適なブレンディング調整を実現することができる。【０１１６】
以上実施例について説明したが、本発明は上記した実施例に限定されるものではなく、様々な変形例が含まれる。また、上記した実施例は本発明を分かりやすく説明するために詳細に説明したものであり、必ずしも説明した全ての構成を備えるものに限定されるものではない。また、実施例の構成の一部を他の構成に置き換えることも可能である。また、ある実施例の構成に他の実施例の構成を加えることも可能である。また、各実施例の一部について、他の構成の追加・削除・置換をすることが可能である。
【符号の説明】
【０１１７】
５０、６０、７０：全体映像、５１：部分映像１、５２：部分映像２、８０：投射画面、９０：ブレンディング調整領域、１００：投射型映像表示装置、１０１：投射光学系、１０２：表示素子、１０５：光源、１０７：操作入力部、１１０：制御部、１６０：画像処理部
【図１】
2020144744.tif 000003
【図２】
2020144744.tif 000004
【図３】
2020144744.tif 000005
【図４】
2020144744.tif 000006
【図５】
2020144744.tif 000007
【図６】
2020144744.tif 000008
【図７Ａ】
2020144744.tif 000009
【図７Ｂ】
2020144744.tif 000010
【図７Ｃ】
2020144744.tif 000011
【図７Ｄ】
2020144744.tif 000012
【図７Ｅ】
2020144744.tif 000013
【図７Ｆ】
2020144744.tif 000014
【図８Ａ】
2020144744.tif 000015
【図８Ｂ】
2020144744.tif 000016
【図８Ｃ】
2020144744.tif 000017
【図９Ａ】
2020144744.tif 000018
【図９Ｂ】
2020144744.tif 000019
【図１０Ａ】
2020144744.tif 000020
【図１０Ｂ】
2020144744.tif 000021
【図１１Ａ】
2020144744.tif 000022
【図１１Ｂ】
2020144744.tif 000023
【図１２Ａ】
2020144744.tif 000024
【図１２Ｂ】
2020144744.tif 000025
【図１３Ａ】
2020144744.tif 000026
【図１３Ｂ】
2020144744.tif 000027
【図１３Ｃ】
2020144744.tif 000028
【図１３Ｄ】
2020144744.tif 000029
【図１４】
2020144744.tif 000030
【図１５Ａ】
2020144744.tif 000031
【図１５Ｂ】
2020144744.tif 000032
【図１５Ｃ】
2020144744.tif 000033
【図１５Ｄ】
2020144744.tif 000034
【図１６Ａ】
2020144744.tif 000035
【図１６Ｂ】
2020144744.tif 000036
【図１６Ｃ】
2020144744.tif 000037
【図１６Ｄ】
2020144744.tif 000038
【図１７Ａ】
2020144744.tif 000039
【図１７Ｂ】
2020144744.tif 000040
【図１８】
2020144744.tif 000041
【手続補正書】
【提出日】令和3年7月5日(2021.7.5)
【手続補正１】
【補正対象書類名】明細書
【補正対象項目名】０００３
【補正方法】変更
【補正の内容】
【０００３】
本技術分野における背景技術として、特許文献１がある。特許文献１では、マルチ投影のためのエッジブレンド処理を行う投影装置において、ユーザによって変更されたメニュー画像の表示位置と重畳領域とが重なっているか否かを判別してスクリーン上の投影映像に警告画像を表示する、または、メニュー画像の表示位置を重畳領域と重ならない位置に移動させる技術が開示されている。
【手続補正２】
【補正対象書類名】明細書
【補正対象項目名】００２４
【補正方法】変更
【補正の内容】
【００２４】
なお、映像信号入力部／出力部１３１と音声信号入力部／出力部１３３と通信部１３２は同一のインターフェース１９０として構成されているが、それぞれ別インターフェースとして構成してもよい。
【手続補正３】
【補正対象書類名】明細書
【補正対象項目名】００４３
【補正方法】変更
【補正の内容】
【００４３】
投射型映像表示装置は、様々なマルチ画面投射で使用可能なように構成されるのが望ましい。よって、異なる複数のブレンディング調整領域の位置のそれぞれにおいて、言い換えれば、投射映像の矩形の４辺の各ブレンディング調整領域の様々な組み合わせにおいて、ユーザが好適に各ブレンディング調整領域を配置できるように構成することが望ましい。
【手続補正４】
【補正対象書類名】明細書
【補正対象項目名】００４６
【補正方法】変更
【補正の内容】
【００４６】
次に図５のメニューの中央列の項目は、ブレンディング調整領域の幅を選択する項目である。例えば、図の例では、投射画面の４つの辺に対応するブレンディング調整領域ごとにその幅を選択可能である。その幅の表示は１００pixel，２００pixelなどの画素数でも良いし、画面上の幅と対応付けた何らかの指標値でも構わない。投射画面サイズが算出できる場合は、例えば、２０ｃｍ、４０ｃｍなど、実際の画面上の幅の長さを表示してもよい。図の例では、幅０を選択すると、その辺については対応するブレンディング調整領域を設けないことを意味する。これに替えて、辺ごとにブレンディング調整領域を設けるか設けないかを別の選択項目として別途メニュー上に表示してもよい。また、ブレンディング調整領域を設ける辺については、ブレンディング調整領域の幅を共通化しても構わない。
【手続補正５】
【補正対象書類名】明細書
【補正対象項目名】００６７
【補正方法】変更
【補正の内容】
【００６７】
よって、このブレンディング調整メニューの自動位置設定の一つの例として、ブレンディング調整メニューの自動設定位置は、メニュー設定可能位置のうち最もブレンディング調整領域から離れた位置に設定するように構成してもよい。この場合、ブレンディング調整領域の視認性が最大限に確保されるので好適である。
【手続補正６】
【補正対象書類名】明細書
【補正対象項目名】００６８
【補正方法】変更
【補正の内容】
【００６８】
図１０Ａに本実施例におけるブレンディング調整メニューの自動設定位置の他の例を示す。図１０Ａに示すように、ブレンディング調整領域９０が投射画面の４つの辺のうち互いに対向しない２つ辺から、同一または異なる幅を有する範囲の場合、ブレンディング調整メニューの自動設定位置は、初期位置（例えば画面中央位置Ｅ）よりも当該投射画面の当該２つの辺のそれぞれから離れる方向に設定すればよい（例えば、図中の自動設定位置Ｇ）。図の例では上下方向および左右方向の両者において、初期位置(例えば画面中央位置Ｅ）よりもブレンディング調整メニューの自動設定位置の方がブレンディング調整領域９０から離れる、すなわち、ブレンディング調整領域９０のブレンディング調整メニュー範囲から離れる。このようにすることで、ブレンディング調整の間は、当該２つの辺に対応するブレンディング調整領域と重複しない位置にブレンディング調整メニューの位置を自動設定することができ、ユーザの操作労力を低減しながら当該２つの辺に対応するブレンディング調整領域のそれぞれのブレンディング調整領域の視認性をより好適に確保してブレンディング調整を行うことができる。また、ブレンディング調整メニューの視認性も向上する。
【手続補正７】
【補正対象書類名】明細書
【補正対象項目名】００６９
【補正方法】変更
【補正の内容】
【００６９】
よって、このブレンディング調整メニューの自動位置設定の一つの例として、ブレンディング調整メニューの自動設定位置は、メニュー設定可能位置のうち最もブレンディング調整領域から離れた位置に設定するように構成してもよい。この場合、ブレンディング調整領域の視認性が最大限に確保されるので好適である。
【手続補正８】
【補正対象書類名】明細書
【補正対象項目名】００８０
【補正方法】変更
【補正の内容】
【００８０】
図１２Ａに本実施例におけるブレンディング調整メニューの自動設定位置の他の例を示す。図１２Ａに示すように、ブレンディング調整領域９０が投射画面の４つの辺のうち４つすべての辺から同一または異なる幅を有する範囲の場合は、ブレンディング調整メニュー自動設定位置は、初期位置と同じく、ほぼ投射画面中心位置（位置Ｅ）に設定すればよい（自動設定位置による位置変更を行わない、と表現してもよい。）。この場合、投射画面中心位置が、ブレンディング調整メニューと４つすべての辺に対応するブレンディング調整領域９０と重複しない位置になる可能性が最も高くなるからである。このようにすることで全て４つの辺に対応するブレンディング調整領域９０の視認性のバランスを保ちながらブレンディング調整を行うことができる。
【手続補正９】
【補正対象書類名】明細書
【補正対象項目名】００８６
【補正方法】変更
【補正の内容】
【００８６】
次に、図１３Ｄに示すように、さらに投射画面の他の一辺（例えば、投射画面の下辺）から所定の幅を有するブレンディング調整領域９０をブレンディング調整の対象に追加した場合も、ブレンディング調整メニュー位置を第３自動設定位置から図１２Ａと同様の画面中央位置Ｅに自動的に変更してもよい。これを第４自動設定位置とする。
【手続補正１０】
【補正対象書類名】明細書
【補正対象項目名】０１０１
【補正方法】変更
【補正の内容】
【０１０１】
ここで、本実施例では、ブレンディング調整メニューが調整中のブレンディング調整領域に重畳する位置（例えば図の例では、位置Ｃ，Ｆ，Ｉ）まで手動設定可能とする。ユーザが使用する環境によっては、ブレンディング調整中のブレンディング調整領域の視認性が一部悪くなっても、ブレンディング調整メニューが調整中のブレンディング調整領域に重畳する位置まで、手動でブレンディング調整メニュー位置を変更しなければならないとユーザが考える場合もあり得るからである。
【手続補正１１】
【補正対象書類名】明細書
【補正対象項目名】０１０３
【補正方法】変更
【補正の内容】
【０１０３】
図１６Ｃは、ブレンディング調整領域が投射画面の４つの辺のうち３つ辺から同一または異なる幅を有する範囲の場合の、本実施例におけるブレンディング調整メニューの自動設定位置および手動設定位置を示す図である。図１６Ｃに示すように、ブレンディング調整メニュー位置の自動設定後のユーザによるブレンディング調整メニュー位置の手動変更の考え方は、ブレンディング調整領域が投射画面の４つの辺のうち３つ辺から同一または異なる幅を有する範囲の場合でも同じである。すなわち、ブレンディング調整メニュー位置の自動設定(例えば図の例では、画面下端位置Ｈ)後、ユーザによるブレンディング調整メニュー位置の手動変更の際に、ブレンディング調整メニューが調整中のブレンディング調整領域に重畳しない位置（例えば図の例では、位置Ｅ）のみならず、ブレンディング調整メニューが調整中のブレンディング調整領域に重畳する位置（例えば図の例では、位置Ａ，Ｂ，Ｃ，Ｄ，Ｆ，Ｇ，Ｉ）まで手動設定可能とする。
【手続補正１２】
【補正対象書類名】明細書
【補正対象項目名】０１０５
【補正方法】変更
【補正の内容】
【０１０５】
このようにブレンディング調整メニュー位置の自動設定のみならず自由度の高いブレンディング調整メニュー位置の手動設定を用意することで、ユーザの操作労力を低減しながらブレンディング調整領域の視認性をより好適に確保するブレンディング調整メニュー位置の自動設定、及びユーザが使用する環境における多様な条件に対応したブレンディング調整メニュー位置の手動設定の両者の利点を得ることができる。
【手続補正１３】
【補正対象書類名】明細書
【補正対象項目名】０１１４
【補正方法】変更
【補正の内容】
【０１１４】
なお、ブレンディング調整メニューの縮小メニューから、ブレンディング調整メニューの大きいメニュー（Large Menu）への手動切り換えボタン（図の例では「拡大」と表記）を設けてもよい。また、一般メニュー(General Menu)への手動切り換えボタン(図の例では「一般」と表記)を設けてもよい。また、ブレンディング調整メニューの手動位置変更モードへの切り換えボタン（図の例では「M位置手動」と表記）を設けてもよい。
【国際調査報告】
2020144744.tif 000042
2020144744.tif 000043
2020144744.tif 000044
2020144744.tif 000045